(57)【要約】  本発明の実施の形態に係るエネルギー貯蔵システム（ＥＳＳ）の寿命予測方法は、寿命を予測しようとする測定対象エネルギー貯蔵システム（ＥＳＳ）を仮想で分割する容量仮想分割ステップと、前記容量仮想分割ステップにおいて所定の容量範囲に分割された実測エネルギー貯蔵システム（ＥＳＳ）のそれぞれの充放電サイクルデータを測定する各容量範囲別の充放電サイクルデータ測定ステップと、前記各容量範囲別の充放電サイクルデータ測定ステップにおいて測定された実測エネルギー貯蔵システム（ＥＳＳ）のそれぞれの充放電サイクルデータに基づいて、測定対象エネルギー貯蔵システム（ＥＳＳ）の寿命を予測する測定対象エネルギー貯蔵システム（ＥＳＳ）寿命予測ステップと、を含んでいてもよい。
2021505911.tif 000002
【特許請求の範囲】
【請求項１】
寿命を予測しようとする測定対象エネルギー貯蔵システム（ＥＳＳ）の容量を二つ以上に仮想で分割する容量仮想分割ステップと、
前記容量仮想分割ステップにおいて分割された容量範囲のそれぞれの充放電サイクルデータを測定する各容量範囲別の充放電サイクルデータ測定ステップと、
前記各容量範囲別の充放電サイクルデータ測定ステップにおいて測定された実測エネルギー貯蔵システム（ＥＳＳ）のそれぞれの前記充放電サイクルデータに基づいて、前記測定対象エネルギー貯蔵システム（ＥＳＳ）の寿命を予測する測定対象エネルギー貯蔵システム（ＥＳＳ）寿命予測ステップと、
を含んでなることを特徴とするエネルギー貯蔵システム（ＥＳＳ）の寿命予測方法。
【請求項２】
前記容量仮想分割ステップは、
前記測定対象エネルギー貯蔵システム（ＥＳＳ）の全体の容量を幾つの範囲に分割するかを設定する分割範囲数設定ステップと、
前記測定対象エネルギー貯蔵システム（ＥＳＳ）の分割範囲数に見合う分だけの実測エネルギー貯蔵システム（ＥＳＳ）を用意する実測エネルギー貯蔵システム（ＥＳＳ）用意ステップと、
を含んでなり、
前記分割された範囲にマッチングされるように、出力電圧に基づいて実測エネルギー貯蔵システム（ＥＳＳ）の範囲を設定し、
前記実測エネルギー貯蔵システム（ＥＳＳ）の分割された範囲は、隣り合う範囲と所定の範囲だけ重なる（オーバラップされる）ことを特徴とする請求項１のエネルギー貯蔵システム（ＥＳＳ）の寿命予測方法。
【請求項３】
前記各容量範囲別の充放電サイクルデータ測定ステップでは、
前記容量仮想分割ステップにおいて分割された各容量範囲に対応する実測エネルギー貯蔵システム（ＥＳＳ）の充放電を繰り返して前記各容量範囲に対応する実測エネルギー貯蔵システム（ＥＳＳ）の充放電サイクルデータを測定することを特徴とする請求項１又は２に記載のエネルギー貯蔵システム（ＥＳＳ）の寿命予測方法。
【請求項４】
前記実測エネルギー貯蔵システム（ＥＳＳ）の充放電を繰り返すことは、
前記実測エネルギー貯蔵システム（ＥＳＳ）に対応する各容量範囲のうち、上限容量にマッチングされる第１の基準電圧を設定する第１の基準電圧設定ステップと、
前記実測エネルギー貯蔵システム（ＥＳＳ）に対応する各容量範囲のうち、下限容量にマッチングされる第２の基準電圧を設定する第２の基準電圧設定ステップと、
前記実測エネルギー貯蔵システム（ＥＳＳ）の出力電圧を測定する出力電圧測定ステップと、
前記測定された実測エネルギー貯蔵システム（ＥＳＳ）の出力電圧と、前記第１の基準電圧及び前記第２の基準電圧とを比較する比較ステップと、
前記比較ステップにおける比較の結果に基づいて、前記実測エネルギー貯蔵システム（ＥＳＳ）の充電または放電を決定する充放電決定ステップと、
を含んでなることを特徴とする請求項３に記載のエネルギー貯蔵システム（ＥＳＳ）の寿命予測方法。
【請求項５】
前記充放電決定ステップでは、
前記比較ステップにおける比較の結果、
前記実測エネルギー貯蔵システム（ＥＳＳ）の前記出力電圧が前記第１の基準電圧以下である場合、
充電を行い、
前記実測エネルギー貯蔵システム（ＥＳＳ）の前記出力電圧が前記第１の基準電圧を超える場合、
充電を中止し、且つ、放電を行うことを特徴とする請求項４に記載のエネルギー貯蔵システム（ＥＳＳ）の寿命予測方法。
【請求項６】
前記充放電決定ステップでは、
前記比較ステップにおける比較の結果、
前記実測エネルギー貯蔵システム（ＥＳＳ）の前記出力電圧が前記第２の基準電圧以上である場合、
放電を行い、
前記実測エネルギー貯蔵システム（ＥＳＳ）の前記出力電圧が前記第２の基準電圧未満である場合、
放電を中止し、且つ、充電を行うことを特徴とする請求項４に記載のエネルギー貯蔵システム（ＥＳＳ）の寿命予測方法。
【請求項７】
前記測定対象エネルギー貯蔵システム（ＥＳＳ）寿命予測ステップでは、
前記各容量範囲別の充放電サイクルデータ測定ステップにおいて測定された各容量範囲別の充放電サイクルデータを単純合算してエネルギー貯蔵システム（ＥＳＳ）の寿命を予測する第１の方法と、
前記各容量範囲別の充放電サイクルデータ測定ステップにおいて測定された各容量範囲別の充放電サイクルデータの調和合計でエネルギー貯蔵システム（ＥＳＳ）の寿命を予測する第２の方法と、
前記各容量範囲別の充放電サイクルデータ測定ステップにおいて測定された各容量範囲別の充放電サイクルデータの乗法的確率を用いて、エネルギー貯蔵システム（ＥＳＳ）の寿命を予測する第３の方法と、
のいずれか一つ以上の方法でエネルギー貯蔵システム（ＥＳＳ）の寿命を予測することを特徴とする請求項１〜６のいずれか一項に記載のエネルギー貯蔵システム（ＥＳＳ）の寿命予測方法。
【請求項８】
複数の実測エネルギー貯蔵システム（ＥＳＳ）と、
前記複数の実測エネルギー貯蔵システム（ＥＳＳ）のそれぞれから充放電サイクルデータを測定して解析する解析部と、
を備えてなり、
前記解析部は、
測定しようとするエネルギー貯蔵システム（ＥＳＳ）の容量を仮想で二つ以上の容量範囲に分割する仮想容量分割部と、
前記分割された容量範囲にマッチングされる第１の基準電圧及び第２の基準電圧を設定する基準電圧設定部と、
前記入力された充放電サイクルデータから前記エネルギー貯蔵システム（ＥＳＳ）の寿命を予測するエネルギー貯蔵システム（ＥＳＳ）寿命予測部と、
を備えてなり、
前記複数の実測エネルギー貯蔵システム（ＥＳＳ）の数は、
前記仮想容量分割部において分割される容量範囲の数以上であり、
前記解析部は、
前記分割された容量範囲にマッチングされる前記第１の基準電圧及び前記第２の基準電圧を前記複数の実測エネルギー貯蔵システム（ＥＳＳ）に伝送して、それぞれの実測エネルギー貯蔵システム（ＥＳＳ）を充電または放電の手順を繰り返して分割された容量範囲別の充放電サイクルデータを測定することを特徴とするエネルギー貯蔵システム（ＥＳＳ）の寿命予測装置。
【請求項９】
前記仮想容量分割部は、
仮想で分割された容量範囲が隣り合う範囲と所定の範囲だけ重なる（オバーラップされる）ように設定し、
前記第１の基準電圧は、
前記分割された各容量範囲の上限容量に相当する値であり、
前記第２の基準電圧は、
前記分割された各容量範囲の下限容量に相当する値であり、
前記第１の基準電圧は、前記第２の基準電圧よりも大きいことを特徴とする請求項８に記載のエネルギー貯蔵システム（ＥＳＳ）の寿命予測装置。
【請求項１０】
前記複数の実測エネルギー貯蔵システム（ＥＳＳ）のそれぞれは、
実測エネルギー貯蔵システム（ＥＳＳ）の充放電を制御するバッテリー短時間放電診断装置（ＢＳＣ）を備えてなり、
前記バッテリー短時間放電診断装置（ＢＳＣ）は、
前記実測エネルギー貯蔵システム（ＥＳＳ）の初期の出力電圧が前記第１の基準電圧以下である場合には、
前記実測エネルギー貯蔵システム（ＥＳＳ）の出力電圧が前記第１の基準電圧となるまで充電を行った後、前記実測エネルギー貯蔵システム（ＥＳＳ）の出力電圧が前記第１の基準電圧を超える場合、充電を中止し、且つ、放電を行い、
前記実測エネルギー貯蔵システム（ＥＳＳ）の初期の出力電圧が前記第２の基準電圧以上である場合には、
前記実測エネルギー貯蔵システム（ＥＳＳ）の出力電圧が前記第２の基準電圧となるまで放電を行った後、前記実測エネルギー貯蔵システム（ＥＳＳ）の前記出力電圧が前記第２の基準電圧未満となる場合、放電を中止し、且つ、充電を行うことを特徴とする請求項８又は９に記載のエネルギー貯蔵システム（ＥＳＳ）の寿命予測装置。
【請求項１１】
前記予測するエネルギー貯蔵システム（ＥＳＳ）寿命予測部は、
前記複数の実測エネルギー貯蔵システム（ＥＳＳ）のそれぞれにおいて測定された各容量範囲別の充放電サイクルデータを単純合算してエネルギー貯蔵システム（ＥＳＳ）の寿命を予測する第１の方法と、
前記複数の実測エネルギー貯蔵システム（ＥＳＳ）のそれぞれにおいて測定された各容量範囲別の充放電サイクルデータの調和合計でエネルギー貯蔵システム（ＥＳＳ）の寿命を予測する第２の方法と、
前記複数の実測エネルギー貯蔵システム（ＥＳＳ）のそれぞれにおいて測定された各容量範囲別の充放電サイクルデータの乗法的確率を用いて、エネルギー貯蔵システム（ＥＳＳ）の寿命を予測する第３の方法と、
のいずれか一つ以上の方法でエネルギー貯蔵システム（ＥＳＳ）の寿命を予測することを特徴とする請求項８〜１０のいずれか一項に記載のエネルギー貯蔵システム（ＥＳＳ）の寿命予測装置。
【請求項１２】
複数の実測エネルギー貯蔵システム（ＥＳＳ）と、
前記複数の実測エネルギー貯蔵システム（ＥＳＳ）のそれぞれから充放電サイクルデータを測定して解析する解析部と、
を備えてなり、
前記解析部は、
測定しようとするエネルギー貯蔵システム（ＥＳＳ）の容量を仮想で二つ以上の容量範囲に分割する仮想容量分割部と、
前記分割された容量範囲にマッチングされる第１の基準電圧及び第２の基準電圧を設定する基準電圧設定部と、
前記入力された充放電サイクルデータから前記エネルギー貯蔵システム（ＥＳＳ）の寿命を予測するエネルギー貯蔵システム（ＥＳＳ）寿命予測部と、
を備えてなり、
前記仮想容量分割部において分割される二つ以上の容量範囲の数は、前記実測エネルギー貯蔵システム（ＥＳＳ）の数以下であり、
前記解析部は、
前記分割された容量範囲にマッチングされる前記第１の基準電圧及び前記第２の基準電圧を前記複数の実測エネルギー貯蔵システム（ＥＳＳ）に伝送して、それぞれの実測エネルギー貯蔵システム（ＥＳＳ）を充電または放電の手順を繰り返して分割された容量範囲別の充放電サイクルデータを測定することを特徴とするエネルギー貯蔵システム（ＥＳＳ）の寿命予測装置。
【請求項１３】
前記仮想容量分割部は、
仮想で分割された容量範囲が隣り合う範囲と所定の範囲だけ重なる（オーバーラップされる）ように設定し、
前記第１の基準電圧は、
前記分割された各容量範囲の上限容量に相当する値であり、
前記第２の基準電圧は、
前記分割された各容量範囲の下限容量に相当する値であり、
前記第１の基準電圧は、前記第２の基準電圧よりも大きいことを特徴とする請求項１２に記載のエネルギー貯蔵システム（ＥＳＳ）の寿命予測装置。
【請求項１４】
前記複数の実測エネルギー貯蔵システム（ＥＳＳ）のそれぞれは、
実測エネルギー貯蔵システム（ＥＳＳ）の充放電を制御するバッテリー短時間放電診断装置（ＢＳＣ）を備えてなり、
前記バッテリー短時間放電診断装置（ＢＳＣ）は、
前記実測エネルギー貯蔵システム（ＥＳＳ）の初期の出力電圧が前記第１の基準電圧以下である場合には、
前記実測エネルギー貯蔵システム（ＥＳＳ）の出力電圧が前記第１の基準電圧となるまで充電を行った後、前記実測エネルギー貯蔵システム（ＥＳＳ）の出力電圧が前記第１の基準電圧を超える場合、充電を中止し、且つ、放電を行い、
前記実測エネルギー貯蔵システム（ＥＳＳ）の初期の出力電圧が前記第２の基準電圧以上である場合には、
前記実測エネルギー貯蔵システム（ＥＳＳ）の出力電圧が前記第２の基準電圧となるまで放電を行った後、前記実測エネルギー貯蔵システム（ＥＳＳ）の前記出力電圧が前記第２の基準電圧未満となる場合、放電を中止し、且つ、充電を行うことを特徴とする請求項１２又は１３に記載のエネルギー貯蔵システム（ＥＳＳ）の寿命予測装置。
【請求項１５】
前記予測するエネルギー貯蔵システム（ＥＳＳ）寿命予測部は、
前記複数の実測エネルギー貯蔵システム（ＥＳＳ）のそれぞれにおいて測定された各容量範囲別の前記充放電サイクルデータを単純合算してエネルギー貯蔵システム（ＥＳＳ）の寿命を予測する第１の方法と、
前記複数の実測エネルギー貯蔵システム（ＥＳＳ）のそれぞれにおいて測定された各容量範囲別の前記充放電サイクルデータの調和合計でエネルギー貯蔵システム（ＥＳＳ）の寿命を予測する第２の方法と、
前記複数の実測エネルギー貯蔵システム（ＥＳＳ）のそれぞれにおいて測定された各容量範囲別の前記充放電サイクルデータの乗法的確率を用いて、エネルギー貯蔵システム（ＥＳＳ）の寿命を予測する第３の方法と、
のいずれか一つ以上の方法でエネルギー貯蔵システム（ＥＳＳ）の寿命を予測することを特徴とする請求項１２〜１４のいずれか一項に記載のエネルギー貯蔵システム（ＥＳＳ）の寿命予測装置。
【発明の詳細な説明】
【技術分野】
【０００１】
本発明は、バッテリーの寿命を速やかに予測する装置及び方法に関する。
【０００２】
より具体的には、バッテリーの寿命を区間別に分割して予測することにより、バッテリーの寿命を速やかに予測する装置及び方法に関する。
【背景技術】
【０００３】
最近のノート型パソコン、ビデオカメラ、携帯電話など携帯用の電気製品の使用の活性化には目を見張るものがあり、それに伴い、その駆動電源として主として用いられる二次電池に対する重要性が高まりつつある。
【０００４】
また、二次電池を直列及び並列に結合して大容量の電源を供給するためのエネルギー貯蔵システム（ＥＳＳ：Ｅｎｅｒｇｙ  Ｓｔｏｒａｇｅ  Ｓｙｓｔｅｍ、以下、ＥＳＳと称する。）へのニーズが高まりつつある。
【０００５】
一方、ＥＳＳをより効率よく使用し、且つ、管理するための管理システムに関する技術もまた、その重要性が高まりつつある。特に、管理システムは、ＥＳＳの充電または放電出力及び残存容量（Ｓｔａｔｅ  ｏｆ  Ｃｈａｒｇｉｎｇ；ＳＯＣ）の使用戦略を適宜に調整するために、ＥＳＳの寿命（Ｓｔａｔｅ  ｏｆ  Ｈｅａｌｔｈ；ＳＯＨ）を正確に予測できることが求められる。
【０００６】
一般に、ＥＳＳにおいて寿命を予測するためには、約４０００サイクル（ｃｙｃｌｅ）以上のＥＳＳの充放電実験データが必要であった。従来には、実際の使用条件下でバッテリー容量の全体を充放電しながら寿命実験を行っていた。このようにして実験を行えば、一日につき平均で４〜５サイクルのデータしか得られないため、約４，０００回の充放電実験データを得るためには、約９００日がかかっていた。
【０００７】
前述した従来の方法では、ＥＳＳの寿命を予測するための実験データを３０ヵ月にわたって取得するが故に、ＥＳＳの開発に長い時間がかかり、その結果、市場で希望するＥＳＳを作製することが困難であった。
【０００８】
このような問題を解消するために、補外法（ｅｘｔｒａｐｏｌａｔｉｏｎ）を用いて寿命を予測する方法が提案されたが、実際にＥＳＳの寿命とは大きな誤差が生じて信頼性に劣るという問題がある。
【０００９】
したがって、本発明では、ＥＳＳの寿命を予測するのにかかる時間を削減しながらも、寿命予測の信頼性を保つことのできる装置及び方法を提案する。
【先行技術文献】
【特許文献】
【００１０】
【特許文献１】大韓民国公開特許公報第１０−２０１３−００８９３６０号公報
【発明の概要】
【発明が解決しようとする課題】
【００１１】
本発明は、従来の技術において指摘されていた、ＥＳＳの寿命を予測するデータを取得するのに長い時間がかかるが故に、ＥＳＳの寿命の予測に長い時間がかかるという問題を解消することを目的としている。
【００１２】
より具体的には、ＥＳＳの容量を複数の容量範囲に分けて、各容量範囲別にＥＳＳの充放電サイクルデータを取得してＥＳＳの寿命を予測する装置及び方法を提供する。
【課題を解決するための手段】
【００１３】
本発明の実施の形態に係るＥＳＳの寿命予測方法は、寿命を予測しようとする測定対象ＥＳＳの容量を二つ以上に仮想で分割する容量仮想分割ステップと、前記容量仮想分割ステップにおいて分割された容量範囲のそれぞれの充放電サイクルデータを測定する各容量範囲別の充放電サイクルデータ測定ステップと、前記各容量範囲別の充放電サイクルデータ測定ステップにおいて測定された実測ＥＳＳのそれぞれの充放電サイクルデータに基づいて、測定対象ＥＳＳの寿命を予測する測定対象ＥＳＳ寿命予測ステップと、を含んでなってもよい。
【００１４】
前記容量仮想分割ステップは、前記測定対象ＥＳＳの全体の容量を幾つの範囲に分割するかを設定する分割範囲数設定ステップを備えてなってもよい。
【００１５】
前記容量仮想分割ステップでは、出力電圧に基づいて実測ＥＳＳの範囲を設定し、前記実測ＥＳＳの分割された範囲は、隣り合う範囲と所定の範囲だけ重なって（オーバラップされて）もよい。
【００１６】
前記容量仮想分割ステップは、前記測定対象ＥＳＳの分割範囲数に見合う分だけの実測ＥＳＳを用意する実測ＥＳＳ用意ステップを含んでなってもよい。
【００１７】
前記各容量範囲別の充放電サイクルデータ測定ステップでは、前記容量仮想分割ステップにおいて分割された各容量範囲に対応する実測ＥＳＳの充放電を繰り返して前記各容量範囲に対応する実測ＥＳＳの充放電サイクルデータを測定してもよい。
【００１８】
前記実測ＥＳＳの充放電を繰り返すことは、前記実測ＥＳＳに対応する各容量範囲のうち、上限容量にマッチングされる第１の基準電圧を設定する第１の基準電圧設定ステップと、前記実測ＥＳＳに対応する各容量範囲のうち、下限容量にマッチングされる第２の基準電圧を設定する第２の基準電圧設定ステップと、前記実測ＥＳＳの出力電圧を測定する出力電圧測定ステップと、前記測定された実測ＥＳＳの出力電圧と、第１の基準電圧及び第２の基準電圧とを比較する比較ステップと、前記比較ステップにおける比較の結果に基づいて、前記実測ＥＳＳの充電または放電を決定する充放電決定ステップと、を含んでなってもよい。
【００１９】
前記充放電決定ステップでは、前記比較ステップにおける比較の結果、前記実測ＥＳＳの出力電圧が第１の基準電圧以下である場合、充電を行い、前記実測ＥＳＳの出力電圧が第１の基準電圧を超える場合、充電を中止し、且つ、放電を行ってもよい。
【００２０】
前記充放電決定ステップでは、前記比較ステップにおける比較の結果、前記実測ＥＳＳの出力電圧が第２の基準電圧以上である場合、放電を行い、前記実測ＥＳＳの出力電圧が第２の基準電圧未満である場合、放電を中止し、且つ、充電を行ってもよい。
【００２１】
前記測定対象ＥＳＳ寿命予測ステップでは、前記各容量範囲別の充放電サイクルデータ測定ステップにおいて測定された各容量範囲別の充放電サイクルデータを単純合算してＥＳＳの寿命を予測する第１の方法と、前記各容量範囲別の充放電サイクルデータ測定ステップにおいて測定された各容量範囲別の充放電サイクルデータの調和合計でＥＳＳの寿命を予測する第２の方法と、前記各容量範囲別の充放電サイクルデータ測定ステップにおいて測定された各容量範囲別の充放電サイクルデータの乗法的確率を用いて、ＥＳＳの寿命を予測する第３の方法と、のいずれか一つ以上の方法でＥＳＳの寿命を予測してもよい。
【００２２】
本発明の第１の実施の形態に係るＥＳＳの寿命予測装置は、複数の実測エネルギー貯蔵システムＥＳＳと、前記複数の実測ＥＳＳのそれぞれから充放電サイクルデータを測定して解析する解析部と、を備えてなってもよい。
【００２３】
前記解析部は、測定しようとするＥＳＳの容量を仮想で二つ以上の容量範囲に分割する仮想容量分割部と、前記分割された容量範囲にマッチングされる第１の基準電圧及び第２の基準電圧を設定する基準電圧設定部と、前記入力された充放電サイクルデータからＥＳＳの寿命を予測するＥＳＳ寿命予測部と、を備えてなり、前記複数の実測ＥＳＳの数は、前記仮想容量分割部において分割される容量範囲の数以上であってもよい。
【００２４】
前記解析部は、前記分割された容量範囲にマッチングされる第１の基準電圧及び第２の基準電圧を前記複数の実測ＥＳＳに伝送して、それぞれの実測ＥＳＳを充電または放電の手順を繰り返して分割された容量範囲別の充放電サイクルデータを測定してもよい。
【００２５】
前記仮想容量分割部は、仮想で分割された容量範囲が隣り合う範囲と所定の範囲だけ重なる（オバーラップされる）ように設定し、前記第１の基準電圧は、前記分割された各容量範囲の上限容量に相当する値であり、前記第２の基準電圧は、前記分割された各容量範囲の下限容量に相当する値であり、前記第１の基準電圧は、前記第２の基準電圧よりも大きくてもよい。
【００２６】
前記複数の実測ＥＳＳのそれぞれは、実測ＥＳＳの充放電を制御するバッテリー短時間放電診断装置（ＢＳＣ：バッテリー・スーパー・チェッカー、以下、ＢＳＣと称する。）を備えてなってもよい。
【００２７】
前記ＢＳＣは、前記実測ＥＳＳの初期の出力電圧が第１の基準電圧以下である場合には、前記実測ＥＳＳの出力電圧が第１の基準電圧となるまで充電を行った後、前記実測ＥＳＳの出力電圧が第１の基準電圧を超える場合、充電を中止し、且つ、放電を行い、前記実測ＥＳＳの初期の出力電圧が第２の基準電圧以上である場合には、前記実測ＥＳＳの出力電圧が第２の基準電圧となるまで放電を行った後、前記実測ＥＳＳの出力電圧が第２の基準電圧未満となる場合、放電を中止し、且つ、充電を行うように実測ＥＳＳを制御してもよい。 
【００２８】
前記予測するＥＳＳ寿命予測部は、前記複数の実測ＥＳＳのそれぞれにおいて測定された各容量範囲別の充放電サイクルデータを単純合算してＥＳＳの寿命を予測する第１の方法と、前記複数の実測ＥＳＳのそれぞれにおいて測定された各容量範囲別の充放電サイクルデータの調和合計でＥＳＳの寿命を予測する第２の方法と、前記複数の実測ＥＳＳのそれぞれにおいて測定された各容量範囲別の充放電サイクルデータの乗法的確率を用いて、ＥＳＳの寿命を予測する第３の方法と、のいずれか一つ以上の方法でＥＳＳの寿命を予測してもよい。
【００２９】
本発明の第２の実施の形態に係るＥＳＳの寿命予測装置は、複数の実測エネルギー貯蔵システムＥＳＳと、前記複数の実測ＥＳＳのそれぞれから充放電サイクルデータを測定して解析する解析部と、を備えてなってもよい。
【００３０】
前記解析部は、測定しようとするＥＳＳの容量を仮想で二つ以上の容量範囲に分割する仮想容量分割部と、前記分割された容量範囲にマッチングされる第１の基準電圧及び第２の基準電圧を設定する基準電圧設定部と、前記入力された充放電サイクルデータからＥＳＳの寿命を予測するＥＳＳ寿命予測部と、を備えてなり、前記仮想容量分割部において分割される二つ以上の容量範囲の数は、前記実測ＥＳＳの数以下であってもよい。
【００３１】
前記解析部は、前記分割された容量範囲にマッチングされる第１の基準電圧及び第２の基準電圧を前記複数の実測ＥＳＳに伝送して、それぞれの実測ＥＳＳを充電または放電の手順を繰り返して分割された容量範囲別の充放電サイクルデータを測定してもよい。
【００３２】
前記仮想容量分割部は、仮想で分割された容量範囲が隣り合う範囲と所定の範囲だけ重なる（オーバーラップされる）ように設定し、前記第１の基準電圧は、前記分割された各容量範囲の上限容量に相当する値であり、前記第２の基準電圧は、前記分割された各容量範囲の下限容量に相当する値であり、前記第１の基準電圧は、前記第２の基準電圧よりも大きくてもよい。
【００３３】
前記複数の実測ＥＳＳのそれぞれは、実測ＥＳＳの充放電を制御するＢＳＣを備えてなってもよい。
【００３４】
前記ＢＳＣは、前記実測ＥＳＳの初期の出力電圧が第１の基準電圧以下である場合には、前記実測ＥＳＳの出力電圧が第１の基準電圧となるまで充電を行った後、前記実測ＥＳＳの出力電圧が第１の基準電圧を超える場合、充電を中止し、且つ、放電を行い、前記実測ＥＳＳの初期の出力電圧が第２の基準電圧以上である場合には、前記実測ＥＳＳの出力電圧が第２の基準電圧となるまで放電を行った後、前記実測ＥＳＳの出力電圧が第２の基準電圧未満となる場合、放電を中止し、且つ、充電を行ってもよい。
【００３５】
前記予測するＥＳＳ寿命予測部は、前記複数の実測ＥＳＳのそれぞれにおいて測定された各容量範囲別の充放電サイクルデータを単純合算してＥＳＳの寿命を予測する第１の方法と、前記複数の実測ＥＳＳのそれぞれにおいて測定された各容量範囲別の充放電サイクルデータの調和合計でＥＳＳの寿命を予測する第２の方法と、前記複数の実測ＥＳＳのそれぞれにおいて測定された各容量範囲別の充放電サイクルデータの乗法的確率を用いて、ＥＳＳの寿命を予測する第３の方法と、のいずれか一つ以上の方法でＥＳＳの寿命を予測前記予測してもよい。
【発明の効果】
【００３６】
本発明は、ＥＳＳの容量範囲を複数の容量範囲に分割し、各容量範囲別にＥＳＳの充放電サイクルデータを速やかに取り集めることができる。
【００３７】
また、容量範囲別にＥＳＳの充放電サイクルデータを速やかに取り集めることにより、ＥＳＳ全体の寿命を速やかに予測することができる。
【図面の簡単な説明】
【００３８】
【図１】本発明の実施の形態に係るフローチャートである。
【図２】本発明の実施の形態に係るＥＳＳを設定された容量範囲内においてのみ充放電する流れを示すフローチャートである。
【図３】本発明の実施の形態に係る第１乃至第５の実測ＥＳＳのそれぞれを５つの範囲に分割してそれぞれの充放電サイクルを測定した結果である。
【図４】本発明の実施の形態の手順に従い測定対象ＥＳＳの寿命を予測した結果と、従来の技術により測定対象ＥＳＳの寿命を予測した結果とを比較したグラフである。
【図５】本発明の実施の形態に係るＥＳＳの寿命予測装置を示す図である。
【発明を実施するための形態】
【００３９】
以下では、添付図面に基づいて、本発明が属する技術分野において通常の知識を有する者が容易に実施できるように本発明の実施の形態について詳しく説明する。しかしながら、本発明は、種々の異なる形態に具体化可能であり、ここで説明する実施の形態に何ら限定されるものではない。なお、図中、本発明を明確に説明するために、説明とは無関係な部分は省略し、明細書の全般に亘って、類似の部分には類似の図面符号を付している。
【００４０】
「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施の形態を説明するために用いられたものであり、本発明を限定しようとする意図はない。単数の表現は、文脈からみて明らかに他の意味を有さない限り、複数の言い回しを含む。
【００４１】
明細書の全般に亘って、ある部分が他の部分と「連結」されているとか、「接続」されているとか、と言及された場合、これは、前記ある部分が前記他の部分に「直接的に連結されたり接続」されたりする場合だけではなく、これらの間に他の素子を間に挟んで「電気的に連結されたり接続」されたりする場合をも含む。なお、ある部分がある構成要素を「備える」としたとき、これは、特に断りのない限り、他の構成要素を除外するわけではなく、他の構成要素をさらに備えていてもよいことを意味する。本願の明細書の全般に亘って用いられる度合いの言い回しである「〜（する）ステップ」又は「〜のステップ」は、「〜のためのステップ」を意味するものではない。
【００４２】
本発明において用いられる用語としては、本発明における機能を考慮しつつ、できる限り現在汎広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００４３】
１．本発明の実施の形態に係るＥＳＳの寿命予測方法。
従来のＥＳＳの寿命を予測する方法では、全体のＥＳＳの容量を一括して充電または放電して全体に対する充放電サイクルデータを取得していた。このように、全体のＥＳＳの容量を一括して充電または放電して全体に対する充放電サイクルデータを取得する場合、ＥＳＳの全体を充電または放電するのに長い時間がかかるため、一日につき４〜５回の充放電サイクルデータしか取得することができず、十分な充放電サイクルデータ（４，０００回以上）を取得し、これに基づいてＥＳＳの寿命を予測するためには、長い時間がかかっていた。
【００４４】
図１は、前述した問題を解消するための本発明の流れを示すフローチャートである。
【００４５】
以下では、図１に基づいて、本発明のＥＳＳの寿命を速やかに予測する方法について説明する。
【００４６】
本発明は、ＥＳＳの全体の容量を一括して充電または放電して、一つの充放電サイクルを取得するわけではなく、測定対象ＥＳＳの全体の容量を仮想で分割して、分割されたそれぞれの容量範囲に対する充放電サイクルデータを取得して全体のＥＳＳの寿命を予測しようとする。
【００４７】
１−１．容量仮想分割ステップ（Ｓ１００）
本発明の容量仮想分割ステップは、測定対象ＥＳＳの全体の容量を二つ以上に仮想で分割するステップであって、仮想で測定対象ＥＳＳの全体の容量を幾つの範囲に分割するかを設定する分割数設定ステップを含んでいてもよい。
【００４８】
１−１−１．分割数設定ステップ（Ｓ１１０）
分割数設定ステップは、仮想で測定対象ＥＳＳの全体の容量を幾つの範囲に分割するかを設定するステップである。
【００４９】
例えば、ＥＳＳの全体の容量が１〜１００であれば、ＥＳＳの全体の容量を５個の範囲に分割する場合、それぞれの範囲は、２０の容量範囲を有することができる。
【００５０】
１−１−２．実測ＥＳＳ用意ステップ（Ｓ１２０）
前述したように、仮想で測定対象ＥＳＳの容量を５個の範囲に分割すれば、それぞれの範囲に対して充放電を行いながら、充放電サイクルデータを取り集めなければならないため、測定対象ＥＳＳと同じ仕様（スペック）を有する実測ＥＳＳが５個（第１乃至第５の実測ＥＳＳ）必要である。
【００５１】
換言すれば、分割されたそれぞれの容量範囲を充放電しながら、全体の容量の充放電サイクルデータを得るためには、前記分割数設定ステップにおいて分割された容量範囲のそれぞれに対応する実測ＥＳＳが必要である。
【００５２】
一方、前記実測ＥＳＳにおいて測定する充放電サイクルデータは、毎回前記分割された容量範囲内で充放電を行った後に測定する実測ＥＳＳの容量データであってもよい。
【００５３】
このような容量データの測定から、分割されたそれぞれの容量に対して毎回充放電を行った後、初期状態の容量をどれくらい保持するかに対する比率を示す容量保持率が算出され、このような容量保持率からバッテリーの寿命を予測することができる。例えば、ＥＳＳの老化または交替状態から判断される基準容量保持率が１０％であるとしたとき、４千回の充放電サイクルを行った後、算出された容量保持率が前記基準容量保持率以下に下がると、当該ＥＳＳの寿命が４千回の充放電であると予測することができる。ここで、各実測ＥＳＳの初期状態の容量は、各容量範囲に分割した分割範囲の初期状態の容量となる。
【００５４】
ＥＳＳは、充放電が繰り返し行われると、ＥＳＳを構成するバッテリーの特性から、ＥＳＳの容量が少しずつ減る。このように、ＥＳＳの容量が次第に減ると、ＥＳＳから電力を供給される他の装置を正常に稼働することができないという問題が生じる虞がある。
【００５５】
したがって、ＥＳＳの初期状態で容量に対する現在のＥＳＳの容量を比較した結果値である容量保持率を含む充放電サイクルデータに基づいてＥＳＳの寿命を予測して、これをＥＳＳの運用に反映することができる。
【００５６】
例えば、ＥＳＳの寿命が短縮されて初期容量の約７０％の容量のみを有すると、当該ＥＳＳを新たなＥＳＳに取り替えたり、当該ＥＳＳから電力を供給される電子装置の連結数を減らしたりすることができる。
【００５７】
一方、各容量範囲別の実測ＥＳＳは、実測ＥＳＳの出力電圧に基づいて、実測ＥＳＳの容量範囲が前記分割された容量範囲にマッチングされるように設定されてもよい。
【００５８】
図２は、全体の容量範囲が１〜１００であるＥＳＳを５分割したとき、６１〜８０の範囲内で実測ＥＳＳの充放電を行う方法を示すフローチャートである。
【００５９】
全体の容量範囲が１〜１００であるＥＳＳを５分割したとき、６１〜８０の範囲において充放電サイクルデータを取得する実測ＥＳＳは、実測ＥＳＳの８０容量に対応する第１の基準出力電圧と、実測システムの６１容量に対応する第２の基準出力電圧との間でのみ充放電を行うように設定されてもよい。
【００６０】
より具体的に、放電を行うとき、前記実測ＥＳＳの出力電圧を前記第２の基準電圧と比較して、前記実測ＥＳＳの出力電圧が第２の基準電圧以上である場合には、放電を行い続け、前記実測ＥＳＳの出力電圧が第２の基準出力電圧未満である場合には、放電を中止し、且つ、充電を行う。一方、充電を行うときには、前記実測ＥＳＳの出力電圧と前記第１の基準出力電圧とを比較して、前記実測ＥＳＳの出力電圧が第１の基準出力電圧以下である場合には、充電を行い続け、前記実測ＥＳＳの出力電圧が第１の基準出力電圧を超えると、充電を中止し、再び放電を行う。
【００６１】
前述した手順で、前記実測ＥＳＳを６１〜８０の範囲内でのみ充放電を行うようにしてもよい。
【００６２】
１−２．各範囲別の充放電サイクルデータ測定ステップ（Ｓ２００）
本発明の各範囲別の充放電サイクルデータ測定ステップは、前記それぞれの容量範囲別に設定された実測ＥＳＳを充放電しながら、充放電サイクルデータを取得するステップである。
【００６３】
換言すれば、第１の実測ＥＳＳは、測定対象ＥＳＳの８１〜１００の容量範囲内でのみ充放電を行うように設定され、前記第１の実測ＥＳＳを充放電しながら８１〜１００の容量範囲に対する毎充放電サイクルでの容量を測定し、第２の実測ＥＳＳは、測定対象ＥＳＳの６１〜８０の容量範囲内でのみ充放電を行うように設定され、前記第２の実測ＥＳＳを充放電しながら、６１〜８０の容量範囲に対する毎充放電サイクルでの容量を測定し、第３の実測ＥＳＳは、測定対象ＥＳＳの４１〜６０の容量範囲内でのみ充放電を行うように設定され、前記第３の実測ＥＳＳを充放電しながら４１〜６０の容量範囲に対する毎充放電サイクルでの容量を測定し、第４の実測ＥＳＳは、測定対象ＥＳＳの２１〜４０の容量範囲内でのみ充放電を行うように設定され、第４の実測ＥＳＳを充放電しながら２１〜４０の容量範囲に対する毎充放電サイクルでの容量を測定し、第５の実測ＥＳＳは、測定対象ＥＳＳの１〜２０の容量範囲内でのみ充放電を行うように設定され、第５の実測ＥＳＳを充放電しながら１〜２０の容量範囲に対する毎充放電サイクルでの容量を測定してもよい。
【００６４】
例えば、前記第２の実測ＥＳＳは、前記第２の実測ＥＳＳの上限容量８０にマッチングされる第１の基準電圧と、前記第２の実測ＥＳＳの下限容量６１にマッチングされる第２の基準電圧を設定してもよい。
【００６５】
このように、第１及び第２の基準電圧が設定されている前記第２の実測ＥＳＳの毎充放電サイクルでの容量を測定する方法は、前記第１の基準出力電圧と前記第２の実測ＥＳＳの出力電圧とを比較（Ｓ２４０）して、前記第２の実測ＥＳＳの出力電圧が前記第１の基準電圧以下である場合には、充電を行い続け（Ｓ２３０）、前記第２の実測ＥＳＳの出力電圧が第１の基準出力電圧を超えると、充電を中止し、且つ、放電を行い、前記第２の基準出力電圧と前記第２の実測ＥＳＳの出力電圧とを比較（Ｓ２２０）して、第２の実測ＥＳＳの出力電圧が前記第２の基準出力電圧以上である場合には、放電を行い続け（Ｓ２１０）、前記第２の実測ＥＳＳの出力電圧が第２の基準出力電圧未満である場合には、前記第２の実測ＥＳＳの放電を中止し、且つ、充電を行うことにより、前記第２の実測ＥＳＳが測定対象ＥＳＳの６１〜８０の容量範囲内でのみ充放電を繰り返し行いながら、第２の実測ＥＳＳの毎充放電サイクルでの容量を測定してもよい。
【００６６】
一方、前述した例においては、測定対象ＥＳＳを仮想で分割する範囲が重ならないように記載されているが、測定対象ＥＳＳを仮想で分割する範囲が一定の部分だけ重なる（オーバーラップされる）ように行われてもよい。
【００６７】
すなわち、第１の実測ＥＳＳは、７６〜１００の容量範囲を有し、第２の実測ＥＳＳは、５６〜８０の容量範囲を有し、第３の実測ＥＳＳは、３６〜６０の容量範囲を有し、第４の実測ＥＳＳは、１６〜４０の容量範囲を有し、第５の実測ＥＳＳは、１〜２５の容量範囲を有するように設定されてもよい。このとき、前記第１乃至第５の実測ＥＳＳの容量範囲及び毎充放電サイクルでの容量の測定方法は、前述した測定対象ＥＳＳを仮想で分割する範囲が重ならないときの第１乃至第５の実測ＥＳＳの容量範囲を設定する方法及び毎充放電サイクルでの容量の測定方法と同じ方法により行われてもよい。
【００６８】
このようにして分割された範囲が一部重なるように設計すれば、ＥＳＳの区間別の退化において特定の区間（例えば、ＳＯＣ  ６０〜４０の区間）の退化が他の区間よりも大きいため負極の使用領域が小さくなって生じる誤差を他の区間で補うことにより、生じる誤差を減らすことができる。図３は、本発明の実施の形態に従って、第１乃至第５の実測ＥＳＳのそれぞれを分割された５個の容量範囲に対応するように設定して、それぞれの充放電サイクルデータを測定した結果である。
【００６９】
図３を参照すると、左側に示すグラフは、測定対象ＥＳＳを各範囲別に分けて第１乃至第５の実測ＥＳＳを充放電することを示すグラフであり、右側に示す５個のグラフは、前記第１乃至第５の実測ＥＳＳにおいて測定された容量保持率を示すグラフである。
【００７０】
図３の右側の５個のグラフを参照すると、各範囲別に充放電が繰り返されたときに現れる容量保持率に差分があることが分かる。このように、各範囲別に容量保持率に差分が出るため、測定対象ＥＳＳの容量範囲の一部でのみ充放電サイクルでの容量を測定して、これに基づいて、測定対象ＥＳＳの全体の寿命を予測する場合には誤差が大きく生じる。
【００７１】
したがって、本発明では、ある特定の区間に対してのみ充放電サイクルでの容量を測定するわけではなく、測定対象ＥＳＳの容量をいずれも含むように第１乃至第５の実測ＥＳＳの容量範囲を設定して、測定対象ＥＳＳの容量範囲の全体において充放電サイクルでの容量を測定する。
【００７２】
一方、後述するＥＳＳ寿命予測ステップでは、前述したようにして設定される第１乃至第５の実測ＥＳＳの容量範囲の全体において測定される充放電サイクルでの容量に基づいて、バッテリーの全体の寿命を予測してもよい。
【００７３】
１−３．測定対象ＥＳＳ寿命予測ステップ（Ｓ３００）
本発明のＥＳＳ寿命予測ステップは、前記分割された各容量範囲別に設定された複数の実測ＥＳＳのそれぞれにおいて測定された充放電サイクルデータに基づいて、測定対象ＥＳＳの寿命を予測するステップである。
【００７４】
一方、本発明では、３種類の方法で、前記分割された各容量範囲別に設定された実測ＥＳＳにおいて測定された充放電サイクルデータに基づいて、測定対象ＥＳＳ寿命を予測する。
【００７５】
まず、第一に、それぞれの容量範囲として設定された複数の実測ＥＳＳのそれぞれにおいて測定された充放電サイクルデータを単純合算して、測定対象ＥＳＳの寿命を予測することができる。
【００７６】
第二に、それぞれの容量範囲として設定された複数の実測ＥＳＳのそれぞれにおいて測定された充放電サイクルデータの調和合計を算出して、測定対象ＥＳＳの寿命を予測することができる。
【００７７】
最後に、それぞれの容量範囲として設定された複数の実測ＥＳＳのそれぞれにおいて測定された充放電サイクルデータの乗法的（Ｍｕｌｔｉｐｌｉｃａｔｉｖｅ）確率で測定対象ＥＳＳの寿命を予測することができる。
【００７８】
一方、図４は、本発明の実施の形態の手順に従って、複数の実測ＥＳＳ第１乃至第５のＥＳＳの充放電範囲をそれぞれの分割された容量範囲に対応するように設定し、各容量範囲に対応する実測ＥＳＳの充放電データに基づいて、前記３種類の方法で測定対象ＥＳＳの寿命を予測した結果と、測定対象ＥＳＳを一括して充放電しながら予測した測定対象ＥＳＳの寿命（従来の技術）とを比較したグラフである。
【００７９】
前記図４を参照すると、測定対象ＥＳＳを一括して充放電しながら予測した測定対象ＥＳＳの寿命（従来の技術）と、本発明の手順に従って予測された測定対象ＥＳＳの寿命を予測した結果の誤差範囲内であることが分かる。
【００８０】
一方、本発明の方法を用いる場合、測定対象ＥＳＳの全体の容量に対する充放電サイクルデータを取得するのにかかる時間は、ＥＳＳの全体の容量を分割する分割数が多くなればなるほど短くなる。
【００８１】
したがって、前述した本発明の方法を用いると、信頼度を満たしながらも、ＥＳＳの全体の寿命を速やかに測定することができる。
【００８２】
２．本発明の第１の実施の形態に係るＥＳＳの寿命予測装置
図５は、本発明の第１の実施の形態に係るＥＳＳの寿命予測装置１を示す図である。
【００８３】
本発明の第１の実施の形態に係るＥＳＳの寿命予測装置１は、複数の実測ＥＳＳ  １０と、前記複数の実測ＥＳＳ  １０のそれぞれから測定される充放電サイクルデータを解析する解析部１００と、を備えてなってもよい。
【００８４】
一方、前記複数の実測ＥＳＳ  １０の数は、後述する仮想容量分割部１２０において分割される容量範囲の数以上であることが好ましい。
【００８５】
すなわち、本発明の第１の実施の形態に係るＥＳＳの寿命予測装置は、仮想容量分割部において分割される容量範囲の数に応じて、実際に充放電を行う実測ＥＳＳの数が定められてもよい。
【００８６】
一方、前記解析部１００は、測定しようとするＥＳＳの容量を仮想で二つ以上の容量範囲に分割する仮想容量分割部１１０と、前記分割された容量範囲にマッチングされる第１の基準電圧及び第２の基準電圧を設定する基準電圧設定部１２０及び前記入力された充放電サイクルデータからＥＳＳの寿命を予測するＥＳＳ寿命予測部１３０を備えてなってもよい。
【００８７】
そして、前記解析部１００は、前記複数の実測ＥＳＳのそれぞれに前記分割された容量範囲にマッチングされる第１の基準電圧及び第２の基準電圧を伝送した後、それぞれの実測ＥＳＳ  １０を充電または放電の手順を繰り返して分割された容量範囲別の充放電サイクルデータを測定してもよい。
【００８８】
一方、前記仮想容量分割部１１０は、仮想で分割された容量範囲が隣り合う範囲と所定の範囲だけ重なる（オーバーラップされる）ように設定してもよい。
【００８９】
一方、前記第１の基準電圧は、前記分割された各容量範囲の上限容量に相当する値であり、前記第２の基準電圧は、前記分割された各容量範囲の下限容量に相当する値であり、前記第１の基準電圧は、前記第２の基準電圧よりも大きい。
【００９０】
前記複数の実測ＥＳＳ  １０のそれぞれは、実測ＥＳＳ  １０の充放電を制御するＢＳＣ  １１を備えてなってもよい。
【００９１】
具体的に、前記ＢＳＣは、前記実測ＥＳＳの初期の出力電圧が第１の基準電圧以下である場合には、前記実測ＥＳＳの出力電圧が第１の基準電圧となるまで充電を行った後、前記実測ＥＳＳの出力電圧が第１の基準電圧を超える場合、充電を中止し、且つ、放電を行い、前記実測ＥＳＳの初期の出力電圧が第２の基準電圧以上である場合には、前記実測ＥＳＳの出力電圧が第２の基準電圧となるまで放電を行った後、前記実測ＥＳＳの出力電圧が第２の基準電圧未満となる場合、放電を中止し、且つ、充電を行うように実測ＥＳＳ  １０を制御してもよい。
【００９２】
例えば、前記複数の実測ＥＳＳ  １０は、初期の出力電圧が第１の基準電圧を超える場合、第２の基準電圧となるまで放電した後、第１の基準電圧となるまで充電し、次いで、第２の基準電圧となるまで放電を行う手順を繰り返し行い続けて、充放電サイクルデータを測定してもよい。すなわち、ＢＳＣ  １１は、各実測ＥＳＳに割り当てられた容量範囲内において充電上限容量まで充電し、充電下限容量まで放電する手順を繰り返すように実測ＥＳＳを制御してもよい。
【００９３】
一方、ＢＳＣ  １１は、充放電サイクルデータを前記ＥＳＳ寿命予測部に伝送してもよい。
【００９４】
一方、前記予測するＥＳＳ寿命予測部１３０は、前記複数の実測ＥＳＳのそれぞれにおいて測定された各容量範囲別の充放電サイクルデータを単純合算してＥＳＳの寿命を予測する第１の方法、前記複数の実測ＥＳＳのそれぞれにおいて測定された各容量範囲別の充放電サイクルデータの調和合計でＥＳＳ寿命を予測する第２の方法、前記複数の実測ＥＳＳのそれぞれにおいて測定された各容量範囲別の充放電サイクルデータの乗法的（Ｍｕｌｔｉｐｌｉｃａｔｉｖｅ）確率を用いてＥＳＳ寿命を予測する第３の方法のいずれか一つ以上の方法でＥＳＳの寿命を予測してもよい。
【００９５】
３．本発明の第２の実施の形態に係るＥＳＳの寿命予測装置
本発明の第２の実施の形態に係るＥＳＳの寿命予測装置１は、複数の実測ＥＳＳ  １０と、前記複数の実測ＥＳＳのそれぞれから測定される充放電サイクルデータを解析する解析部１００と、を備えていてもよい。
【００９６】
一方、前記解析部１００は、測定しようとするＥＳＳの容量を仮想で二つ以上の容量範囲に分割する仮想容量分割部１１０と、前記分割された容量範囲にマッチングされる第１の基準電圧及び第２の基準電圧を設定する基準電圧設定部１２０及び前記入力された充放電サイクルデータからＥＳＳの寿命を予測するＥＳＳ寿命予測部１３０を備えていてもよい。
【００９７】
そして、前記解析部１００は、前記複数の実測ＥＳＳのそれぞれに前記分割された容量範囲にマッチングされる第１の基準電圧及び第２の基準電圧を伝送した後、それぞれの実測ＥＳＳを充電または放電の手順を繰り返して分割された容量範囲別の充放電サイクルデータを測定してもよい。
【００９８】
一方、前記仮想容量分割部１１０において分割される容量範囲の数は、前記実測ＥＳＳの数以下であることが好ましい。
【００９９】
換言すれば、前記実測ＥＳＳの数が限定されているため、各容量範囲を実測ＥＳＳに割り当てて実測ＥＳＳを実際に充放電するためには、前記分割される容量範囲の数が前記実測ＥＳＳの数を超えることができない。
【０１００】
一方、前記仮想容量分割部１１０において分割されて各実測ＥＳＳに割り当てられる容量範囲は、前記実測ＥＳＳの数と同じであることが最も好ましくい。
【０１０１】
例えば、前記仮想容量分割部１１０において分割される容量範囲と実測ＥＳＳの数とが同じである場合、下記の数式１に基づいて、各実測ＥＳＳの容量範囲が算出されてもよい。
【０１０２】
［数１］
ＥＳＳｋ＿ＳＯＣ＝｛ｋ−１／Ｎ｝＊１００＋１〜ｋ／Ｎ＊１００
（但し、ｋ＝１，２，…，Ｎ；Ｎは、１と１００を除く１００の約数）
【０１０３】
一方、前記仮想容量分割部１１０は、仮想で分割された容量範囲が隣り合う範囲と所定の範囲だけ重なる（オーバーラップされる）ように設定してもよい。
【０１０４】
一方、前記第１の基準電圧は、前記分割された各容量範囲の上限容量に相当する値であり、前記第２の基準電圧は、前記分割された各容量範囲の下限容量に相当する値であり、前記第１の基準電圧は、前記第２の基準電圧よりも大きい。
【０１０５】
一方、前記複数の実測ＥＳＳ  １０のそれぞれは、実測ＥＳＳ  １０の充放電を制御するＢＳＣ  １１を備えてなってもよい。
【０１０６】
具体的に、前記ＢＳＣは、前記実測ＥＳＳの初期の出力電圧が第１の基準電圧以下である場合には、前記実測ＥＳＳの出力電圧が第１の基準電圧となるまで充電を行った後、前記実測ＥＳＳの出力電圧が第１の基準電圧を超える場合、充電を中止し、且つ、放電を行い、前記実測ＥＳＳの初期の出力電圧が第２の基準電圧以上である場合には、前記実測ＥＳＳの出力電圧が第２の基準電圧となるまで放電を行った後、前記実測ＥＳＳの出力電圧が第２の基準電圧未満となる場合、放電を中止し、且つ、充電を行うように実測ＥＳＳ  １０を制御してもよい。
【０１０７】
例えば、前記複数の実測ＥＳＳ  １０は、初期の出力電圧が第１の基準電圧を超える場合、第２の基準電圧となるまで放電した後、第１の基準電圧となるまで充電し、次いで、第２の基準電圧となるまで放電を行う手順を繰り返し行い続けて充放電サイクルデータを測定してもよい。すなわち、ＢＳＣ  １１は、各実測ＥＳＳに割り当てられた容量範囲内で充電上限容量まで充電し、充電下限容量まで放電する手順を繰り返すように実測ＥＳＳを制御してもよい。
【０１０８】
一方、ＢＳＣ  １１は、充放電サイクルデータを前記ＥＳＳ寿命予測部に伝送してもよい。
【０１０９】
一方、前記予測するＥＳＳ寿命予測部１３０は、前記複数の実測ＥＳＳのそれぞれにおいて測定された各容量範囲別の充放電サイクルデータを単純合算してＥＳＳの寿命を予測する第１の方法、前記複数の実測ＥＳＳのそれぞれにおいて測定された各容量範囲別の充放電サイクルデータの調和合計でＥＳＳの寿命を予測する第２の方法、前記複数の実測ＥＳＳのそれぞれにおいて測定された各容量範囲別の充放電サイクルデータの乗法的（Ｍｕｌｔｉｐｌｉｃａｔｉｖｅ）確率を用いてＥＳＳの寿命を予測する第３の方法のいずれか一つ以上の方法でＥＳＳの寿命を予測してもよい。
【０１１０】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【０１１１】
１  ＥＳＳの寿命予測装置
１０  実測ＥＳＳ
１１  ＢＳＣ
１００  解析部
１１０  仮想容量分割部
１２０  基準電圧設定部
１３０  ＥＳＳ寿命予測部
【図１】
2021505911.tif 000003
【図２】
2021505911.tif 000004
【図３】
2021505911.tif 000005
【図４】
2021505911.tif 000006
【図５】
2021505911.tif 000007
【国際調査報告】
2021505911.tif 000008
2021505911.tif 000009
2021505911.tif 000010
2021505911.tif 000011